(57)【要約】【課題】読取対象物の位置合わせに時間を要することなく、迅速に情報コードを読み取ることができる光学的情報読取装置を提供すること。【解決手段】情報コード４１を読み取る読取部１０と、読取部１０を下面に配置したアーム部２０と、アーム部２０を支える基台３０と、情報コード４１が付与された読取対象物４０を載置する載置部５０とを備え、載置部５０に載置された読取対象物４０から、付与された情報コード４１を読取部１０で読み取る光学的情報読取装置であって、載置部５０に、読取対象物４０の載置位置を規制する第１位置規制部材６０を設けたことを特徴とする。【選択図】        図１
2014215898.tif 000002
【特許請求の範囲】
【請求項１】
情報コードを読み取る読取部と、前記読取部を下面に配置したアーム部と、前記アーム部を支える基台と、前記情報コードが付与された読取対象物を載置する載置部とを備え、前記載置部に載置された前記読取対象物から、付与された前記情報コードを前記読取部で読み取る光学的情報読取装置であって、
前記載置部に、前記読取対象物の載置位置を規制する第１位置規制部材を設けたことを特徴とする光学的情報読取装置。
【請求項２】
前記アーム部の一端を作業者に近い位置とし、前記アーム部の他端を前記作業者から遠い位置とし、
前記アーム部の前記他端を前記基台に取り付け、
前記載置部の一端を前記作業者に近い位置とし、前記載置部の他端を前記作業者から遠い位置とし、
前記載置部の前記他端を前記基台に取り付け、
前記載置部の前記一端を、前記読取部から導出される照射光の照射面よりも前記作業者に近い位置に延出させ、
前記第１位置規制部材を、前記照射面よりも前記作業者から遠い位置に配置したことを特徴とする請求項１に記載の光学的情報読取装置。
【請求項３】
前記第１位置規制部材が、前記載置部の載置面に立設した立ち上がり片を有し、前記立ち上がり片によって、前記読取対象物の前記載置面での奥行き方向への移動を規制することを特徴とする請求項１又は請求項２に記載の光学的情報読取装置。
【請求項４】
前記立ち上がり片に対して直交する方向に立ち上がり片を有する第２位置規制部材を設けたことを特徴とする請求項３に記載の光学的情報読取装置。
【請求項５】
載置角度調整部材を、前記照射面よりも前記作業者に近い位置にある前記載置面に設け、前記載置角度調整部材によって、前記読取対象物の前記情報コードを前記読取部で読み取りやすい最適載置角度とすることを特徴とする請求項２から請求項４のいずれかに記載の光学的情報読取装置。
【請求項６】
前記載置角度調整部材が、前記載置部の載置面に立設した立ち上がり片を有し、前記立ち上がり片の高さと前記立ち上がり片から前記第１位置規制部材までの距離とによって、前記読取対象物を前記最適載置角度とすることを特徴とする請求項５に記載の光学的情報読取装置。
【請求項７】
前記基台に対して前記アーム部が第１の角度から第Ｎの角度までの範囲で角度調整ができるとともに、前記アーム部が前記第１の角度から前記第Ｎの角度までの間で１つ以上の角度で固定できる角度変更手段を備え、
前記アーム部を前記第１の角度又は前記第Ｎの角度とした時に前記読取対象物が前記最適載置角度となるように前記載置角度調整部材を設けたことを特徴とする請求項５又は請求項６に記載の光学的情報読取装置。
【発明の詳細な説明】
【技術分野】
【０００１】
本発明は、一次元コードや二次元コードなどの情報コードを読み取る光学的情報読取装置に関する。
【背景技術】
【０００２】
読取装置本体を置台に載置した状態で光学的情報を読み取ることができる光学的情報読取装置が提案されている（特許文献１）。
特許文献１の光学的情報読取装置は、置台に読取装置本体を載置した載置状態で、読取装置本体により、開口部を介して光学的情報を読取可能に構成されている。
【先行技術文献】
【特許文献】
【０００３】
【特許文献１】特開２０１０−９７３１６号公報
【発明の開示】
【発明が解決しようとする課題】
【０００４】
特許文献１に示されている光学的情報読取装置では、作業者が読取対象物を開口部の下方に位置させるが、適正な位置に読取対象物を配置しないと読み取りが行われない。
従って、適正な位置に読取対象物を移動させなければならず、位置合わせに時間を要してしまう。
また、読取対象物を適正な角度にしなければ正確な読み取りができないため、位置と共に角度合わせに時間を要していた。
【０００５】
そこで本発明は、読取対象物の位置合わせに時間を要することなく、迅速に情報コードを読み取ることができる光学的情報読取装置を提供することを目的とする。
【課題を解決するための手段】
【０００６】
請求項１記載の本発明の光学的情報読取装置は、情報コードを読み取る読取部と、前記読取部を下面に配置したアーム部と、前記アーム部を支える基台と、前記情報コードが付与された読取対象物を載置する載置部とを備え、前記載置部に載置された前記読取対象物から、付与された前記情報コードを前記読取部で読み取る光学的情報読取装置であって、前記載置部に、前記読取対象物の載置位置を規制する第１位置規制部材を設けたことを特徴とする。
請求項２記載の本発明は、請求項１に記載の光学的情報読取装置において、アーム部の一端を作業者に近い位置とし、前記アーム部の他端を前記作業者から遠い位置とし、前記アーム部の前記他端を前記基台に取り付け、前記載置部の一端を前記作業者に近い位置とし、前記載置部の他端を前記作業者から遠い位置とし、前記載置部の前記他端を前記基台に取り付け、前記載置部の前記一端を、前記読取部から導出される照射光の照射面よりも前記作業者に近い位置に延出させ、前記第１位置規制部材を、前記照射面よりも前記作業者から遠い位置に配置したことを特徴とする。
請求項３記載の本発明は、請求項１又は請求項２に記載の光学的情報読取装置において、前記第１位置規制部材が、前記載置部の載置面に立設した立ち上がり片を有し、前記立ち上がり片によって、前記読取対象物の前記載置面での奥行き方向への移動を規制することを特徴とする。
請求項４記載の本発明は、請求項３に記載の光学的情報読取装置において、前記立ち上がり片に対して直交する方向に立ち上がり片を有する第２位置規制部材を設けたことを特徴とする。
請求項５記載の本発明は、請求項２から請求項４のいずれかに記載の光学的情報読取装置において、載置角度調整部材を、前記照射面よりも前記作業者に近い位置にある前記載置面に設け、前記載置角度調整部材によって、前記読取対象物の前記情報コードを前記読取部で読み取りやすい最適載置角度とすることを特徴とする。
請求項６記載の本発明は、請求項５に記載の光学的情報読取装置において、前記載置角度調整部材が、前記載置部の載置面に立設した立ち上がり片を有し、前記立ち上がり片の高さと前記立ち上がり片から前記第１位置規制部材までの距離とによって、前記読取対象物を前記最適載置角度とすることを特徴とする。
請求項７記載の本発明は、請求項５又は請求項６に記載の光学的情報読取装置において、前記基台に対して前記アーム部が第１の角度から第Ｎの角度までの範囲で角度調整ができるとともに、前記アーム部が前記第１の角度から前記第Ｎの角度までの間で１つ以上の角度で固定できる角度変更手段を備え、前記アーム部を前記第１の角度又は前記第Ｎの角度とした時に前記読取対象物が前記最適載置角度となるように前記載置角度調整部材を設けたことを特徴とする。
【発明の効果】
【０００７】
本発明によれば、載置部に、読取対象物の載置位置を規制する第１位置規制部材を設けたことで、読取対象物の位置合わせに時間を要することなく、迅速に情報コードを読み取ることができる。
【図面の簡単な説明】
【０００８】
【図１】本発明の一実施例による光学的情報読取装置を示す外観斜視図
【図２】同光学的情報読取装置に読み取り対象物を載置した状態を示す外観斜視図
【発明を実施するための形態】
【０００９】
本発明の第１の実施の形態による光学的情報読取装置は、載置部に、読取対象物の載置位置を規制する第１位置規制部材を設けたものである。本実施の形態によれば、読取対象物の位置合わせに時間を要することなく、迅速に情報コードを読み取ることができる。
【００１０】
本発明の第２の実施の形態は、第１の実施の形態による光学的情報読取装置において、アーム部の一端を作業者に近い位置とし、アーム部の他端を作業者から遠い位置とし、アーム部の他端を基台に取り付け、載置部の一端を作業者に近い位置とし、載置部の他端を作業者から遠い位置とし、載置部の他端を基台に取り付け、載置部の一端を、読取部から導出される照射光の照射面よりも作業者に近い位置に延出させ、第１位置規制部材を、照射面よりも作業者から遠い位置に配置したものである。本実施の形態によれば、載置部の手前から奥方向に読取対象物を移動させると、読取対象物は第１位置規制部材に当接する。読取対象物が第１位置規制部材に当接した位置が読取位置となるため、速やかに情報コードを読み取ることができる。
【００１１】
本発明の第３の実施の形態は、第１又は第２の実施の形態による光学的情報読取装置において、第１位置規制部材が、載置部の載置面に立設した立ち上がり片を有し、立ち上がり片によって、読取対象物の載置面での奥行き方向への移動を規制するものである。本実施の形態によれば、立ち上がり片によって読取対象物は移動を規制されるため、読取対象物の確実な位置合わせを行うことができる。
【００１２】
本発明の第４の実施の形態は、第３の実施の形態による光学的情報読取装置において、立ち上がり片に対して直交する方向に立ち上がり片を有する第２位置規制部材を設けたものである。本実施の形態によれば、奥行き方向とともに横方向の位置決めを行えるため、読取対象物の位置合わせを更に迅速に行うことができる。
【００１３】
本発明の第５の実施の形態は、第２から第４の実施の形態による光学的情報読取装置において、載置角度調整部材を、照射面よりも作業者に近い位置にある載置面に設け、載置角度調整部材によって、読取対象物の情報コードを読取部で読み取りやすい最適載置角度とするものである。本実施の形態によれば、読取対象物の角度を、読取部で読み取りやすい最適載置角度にできるため、更に迅速に情報コードを読み取ることができる。
【００１４】
本発明の第６の実施の形態は、第５の実施の形態による光学的情報読取装置において、載置角度調整部材が、載置部の載置面に立設した立ち上がり片を有し、立ち上がり片の高さと、立ち上がり片から第１位置規制部材までの距離とによって、読取対象物を最適載置角度とするものである。本実施の形態によれば、簡単な構成で最適載置角度を調整できる。
【００１５】
本発明の第７の実施の形態は、第５又は第６の実施の形態による光学的情報読取装置において、基台に対してアーム部が第１の角度から第Ｎの角度までの範囲で角度調整ができるとともに、アーム部が第１の角度から第Ｎの角度までの間で１つ以上の角度で固定できる角度変更手段を備え、アーム部を第１の角度又は第Ｎの角度とした時に読取対象物が最適載置角度となるように載置角度調整部材を設けたものである。本実施の形態によれば、第１の角度又は第Ｎの角度で読取対象物が最適載置角度となるように載置角度調整部材を設けているため、アーム部が第１の角度から第Ｎの角度までの間の角度になっている場合にも、いずれかの方向にアーム部を回すことで最適載置角度への調整を迅速に行うことができる。
【実施例】
【００１６】
以下本発明の一実施例について図面とともに説明する。
図１は本発明の一実施例による光学的情報読取装置を示す外観斜視図、図２は同光学的情報読取装置に読み取り対象物を載置した状態を示す外観斜視図である。
本実施例による光学的情報読取装置は、情報コードを読み取る読取部１０と、読取部１０を下面に配置したアーム部２０と、アーム部２０を支える基台３０と、情報コード４１が付与された読取対象物４０を載置する載置部５０とを備え、載置部５０に載置された読取対象物４０から、付与された情報コード４１を読取部１０で読み取る。
【００１７】
読取部１０は、アーム部２０内に収容された照明光源から照明光を導出し、情報コード４１が付与された読取対象物４０からの反射光を導入する。ここで情報コード４１は、例えば一次元コードや二次元コードである。
アーム部２０の一端は作業者に近い位置とし、アーム部２０の他端は作業者から遠い位置とし、アーム部２０の他端を基台３０に取り付けている。
載置部５０の一端は作業者に近い位置とし、載置部５０の他端は作業者から遠い位置とし、載置部５０の他端を基台３０に取り付けている。載置部５０の一端は、読取部１０から導出される照射光の照射面１１よりも作業者に近い位置に延出させている。
載置部５０には、読取対象物４０の載置位置を規制する第１位置規制部材６０及び第２位置規制部材７０と、読取対象物４０の載置角度を調整する載置角度調整部材８０を設けている。
【００１８】
第１位置規制部材６０は、照射面１１よりも作業者から遠い位置に配置している。第１位置規制部材６０は、載置部５０の載置面に立設した立ち上がり片６１と載置面に取り付ける取り付け片６２とを有し、立ち上がり片６１によって、読取対象物４０の載置面での奥行き方向への移動を規制する。
【００１９】
第２位置規制部材７０は、立ち上がり片６１に対して直交する方向に立ち上がり片７１を有する。本実施例では、立ち上がり片７１は立ち上がり片６１と連続している。すなわち、一つの片を直角に折り曲げることで立ち上がり片６１と立ち上がり片７１とを形成している。従って、立ち上がり片７１についても、取り付け片６２によって載置部５０の載置面に取り付けられている。
【００２０】
載置角度調整部材８０は、照射面１１よりも作業者に近い位置にある載置面に設けている。載置角度調整部材８０によって、読取対象物４０の情報コード４１を読取部１０で読み取りやすい最適載置角度とする。
載置角度調整部材８０は、載置部５０の載置面に立設した立ち上がり片８１と、載置面に取り付ける取り付け片８２とを有し、立ち上がり片８１の高さと、立ち上がり片８１から第１位置規制部材６０までの距離とによって、読取対象物４０を最適載置角度とする。
【００２１】
本実施例による光学的情報読取装置は、アーム部２０の角度を変更できる角度変更手段９０を備えている。
角度変更手段９０によって、基台３０に対してアーム部２０が第１の角度から第Ｎの角度までの範囲で角度調整ができるとともに、アーム部２０が第１の角度から第Ｎの角度までの間で１つ以上の角度で固定できる。
載置角度調整部材８０は、アーム部２０を第１の角度又は第Ｎの角度とした時に読取対象物４０が最適載置角度となるように設けている。
【００２２】
以上のように本実施例によれば、載置部５０に、読取対象物４０の載置位置を規制する第１位置規制部材６０を設けたことで、読取対象物４０の位置合わせに時間を要することなく、迅速に情報コードを読み取ることができる。
【００２３】
また本実施例によれば、載置部５０の一端を、読取部１０から導出される照射光の照射面１１よりも作業者に近い位置に延出させ、第１位置規制部材６０を、照射面１１よりも作業者から遠い位置に配置したことで、載置部５０の手前から奥方向に読取対象物４０を移動させると、読取対象物４０は第１位置規制部材６０に当接し、読取対象物４０が第１位置規制部材６０に当接した位置が読取位置となるため、速やかに情報コードを読み取ることができる。
【００２４】
また本実施例によれば、第１位置規制部材６０が、載置部５０の載置面に立設した立ち上がり片６１を有し、立ち上がり片６１によって、読取対象物４０の載置面での奥行き方向への移動を規制することで、立ち上がり片６１によって読取対象物４０は移動を規制されるため、読取対象物４０の確実な位置合わせを行うことができる。
【００２５】
また本実施例によれば、立ち上がり片６１に対して直交する方向に立ち上がり片７１を有する第２位置規制部材７０を設けたことで、奥行き方向とともに横方向の位置決めを行えるため、読取対象物４０の位置合わせを更に迅速に行うことができる。
【００２６】
また本実施例によれば、載置角度調整部材８０を、照射面１１よりも作業者に近い位置にある載置面に設け、載置角度調整部材８０によって、読取対象物４０の情報コード４１を読取部１０で読み取りやすい最適載置角度とすることで、読取対象物４０の角度を、読取部１０で読み取りやすい最適載置角度にできるため、更に迅速に情報コードを読み取ることができる。
【００２７】
また本実施例によれば、立ち上がり片８１の高さと立ち上がり片８１から第１位置規制部材６０までの距離とによって、読取対象物４０を最適載置角度とすることで、簡単な構成で最適載置角度を調整できる。
【００２８】
また本実施例によれば、第１の角度又は第Ｎの角度で読取対象物４０が最適載置角度となるように載置角度調整部材８０を設けているため、アーム部２０が第１の角度から第Ｎの角度までの間の角度になっている場合にも、いずれかの方向にアーム部２０を回すことで最適載置角度への調整を迅速に行うことができる。
【産業上の利用可能性】
【００２９】
本発明の光学的情報読取装置によれば、迅速に情報コードを読み取ることができる。
【符号の説明】
【００３０】
１０  読取部
１１  照射面
２０  アーム部
３０  基台
４０  読取対象物
４１  情報コード
５０  載置部
６０  第１位置規制部材
６１  立ち上がり片
７０  第２位置規制部材
７１  立ち上がり片
８０  載置角度調整部材
８１  立ち上がり片
９０  角度変更手段
【図１】
2014215898.tif 000003
【図２】
2014215898.tif 000004